(57)【要約】【課題】掃除性能が向上する電気掃除機の吸込口体およびそれを備えた電気掃除機を提供すること。【解決手段】第１間隙をもって被清掃面に対面するように構成された第１底面と、前記第１底面と進行方向前方側で隣接しかつ前記第１間隙よりも広い第２間隙をもって被清掃面に対面するように構成された第２底面と、前記第１底面と前記第２底面との境界付近において前記進行方向に対する左右方向の中間部に設けられた吸込口とを有し、  前記第２間隙が前記左右方向の中間部から両端部に向かうにつれて狭くなるように前記第２底面が形成されたことを特徴とする電気掃除機の吸込口体。【選択図】図３
2020078529.tif 000002
【特許請求の範囲】
【請求項１】
第１間隙をもって被清掃面に対面するように構成された第１底面と、前記第１底面と進行方向前方側で隣接しかつ前記第１間隙よりも広い第２間隙をもって被清掃面に対面するように構成された第２底面と、前記第１底面と前記第２底面との境界付近において前記進行方向に対する左右方向の中間部に設けられた吸込口とを有し、
前記第２間隙が前記左右方向の中間部から両端部に向かうにつれて狭くなるように前記第２底面が形成されたことを特徴とする電気掃除機の吸込口体。
【請求項２】
前記第１底面における前記吸込口の周囲の左右位置から後方位置に亘って、前記第１間隙よりも上下方向に狭い第３隙間をもって被清掃面に近接するリブが設けられている請求項１に記載の吸込口体。
【請求項３】
前記第２底面の前端に沿って設けられて前記前方に面するダスト受け面をさらに有し、
前記ダスト受け面は、平面的に視て、前記左右方向の両端部側から中間部に向かうにつれて後方へ凹んでいる請求項１または２に記載の吸込口体。
【請求項４】
前記第２底面の前記中間部における前記ダスト受け面から前記吸込口に亘る範囲に溝部が設けられている請求項３に記載の吸込口体。
【請求項５】
前記第１底面において、前記第２底面の前記左右方向の両端部外側に左右一対の平坦面部が設けられ、かつ、前記左右一対の平坦面部に左右一対の起毛布が設けられ、かつ、後部にローラが回転可能に設けられており、
前記左右一対の起毛布および前記ローラによって前記第１底面が被清掃面上に前記第１間隙をもって支持されている請求項１〜４のいずれか１つに記載の吸込口体。
【請求項６】
請求項１〜５の吸込口体を備えたことを特徴とする電気掃除機。
【発明の詳細な説明】
【技術分野】
【０００１】
本発明は、電気掃除機の吸込口体およびそれを備えた電気掃除機に関する。
【背景技術】
【０００２】
従来の電気掃除機の吸込口体として、例えば特許文献１には、ノズル本体と、使い捨てモップが着脱可能に装着される底部と、底部の前方とノズル本体との間に設けられた吸込口とを有する使い捨てモップ電気掃除機用ノズルが提案されている。
【先行技術文献】
【特許文献】
【０００３】
【特許文献１】実用新案登録第３０３６６５７号公報
【発明の概要】
【発明が解決しようとする課題】
【０００４】
前記従来の吸込口体では、使い捨てモップが広い面積で床面（フローリング）と接するため、清掃時に床面との摩擦が大きくなり、吸込口体を前後左右方向へ移動させる操作性が悪くなる。この問題の対応策として、吸込口体の底面に使い捨てモップを取り付ける代わりに、底面にローラおよび起毛布を設けて底面を床面から浮かす構造とすることが考えられ、これにより摩擦が低減し操作性が向上する。しかしながら、この構造では、吸込口の周囲全体から空気が吸い込まれてしまうため、吸込口の前部側の吸引力が低下する。さらに、吸込口体は吸込口の左右方向の中間部にダストを集めるように吸引する構造であるため、吸込口の前記中間部から遠い左右両端部側の吸引力は弱くなる。そのため、吸込口体を前進させたときに前方のダスト、特に、左右両端部側のダストを強い吸引力で吸い込みにくくなる。
【０００５】
本発明は、このような課題に鑑みなされたものであり、掃除性能が向上する電気掃除機の吸込口体およびそれを備えた電気掃除機を提供することを目的とする。
【課題を解決するための手段】
【０００６】
本発明によれば、第１間隙をもって被清掃面に対面するように構成された第１底面と、前記第１底面と進行方向前方側で隣接しかつ前記第１間隙よりも広い第２間隙をもって被清掃面に対面するように構成された第２底面と、前記第１底面と前記第２底面との境界付近において前記進行方向に対する左右方向の中間部に設けられた吸込口とを有し、
前記第２間隙が前記左右方向の中間部から両端部に向かうにつれて狭くなるように前記第２底面が形成された電気掃除機の吸込口体が提供される。
また、本発明によれば、前記吸込口体を備えた電気掃除機が提供される。
【発明の効果】
【０００７】
本発明の電気掃除機の吸込口体によれば、吸込口の前部側において強い吸引力を維持しやすくなり、さらに、吸込口から左右方向の距離が遠い両端部においても強い吸引力を維持しやすくなる。
【図面の簡単な説明】
【０００８】
【図１】本発明の吸込口体を備えた電気掃除機（実施形態１）を示す斜視図である。
【図２】図１の電気掃除機における集塵部の斜視図である。
【図３】図１の電気掃除機における吸込口体の正面図である。
【図４】図１の電気掃除機における吸込口体の底面図である。
【図５】図４のＩ−Ｉ線矢視断面図である。
【図６】図４のＩＩ−ＩＩ線矢視断面図である。
【図７】図４のＩＩＩ−ＩＩＩ線矢視断面図である。
【図８】実施形態１の吸込口体にてダストを吸引する状態を説明する図であって（Ａ）は正面側から視た状態、（Ｂ）は底面側から視た状態である。
【図９】実施形態２の吸込口体にてダストを吸引する状態を説明する図であって（Ａ）は正面側から視た状態、（Ｂ）は底面側から視た状態である。
【図１０】実施形態３の吸込口体にてダストを吸引する状態を説明する図であって（Ａ）は正面側から視た状態、（Ｂ）は底面側から視た状態である。
【発明を実施するための形態】
【０００９】
（実施形態１）
図１は本発明の吸込口体を備えた電気掃除機（実施形態１）を示す斜視図であり、図２は図１の電気掃除機における集塵部の斜視図である。なお、図１において、この電気掃除機の前後左右上下方向を矢印にて示している。
この電気掃除機Ａは、電動送風機１ｂを内蔵する駆動部１および駆動部１に着脱可能に装着される集塵部２を有する掃除機本体１０と、駆動部１の下部に可撓性ホース６およびヒンジ部材７を介して接続された吸込口体３と、駆動部１の上部に接続される棒状のハンドル４とを備えたスティック型の電気掃除機である。
【００１０】
駆動部１は、上下方向に長い流線形の筐体１ａを有しており、その筐体１ａに前記電動送風機１ｂと共に図示しないバッテリが収納されている。また、筐体１ａの前面には電源スイッチ１ａｃが設けられている。
この筐体１ａは、その前面側の下半部に、集塵部２を着脱可能に装着するよう前面から左右側面に亘って開口する装着凹部１ｃが設けられると共に、下端には後述するヒンジ部材７（図１、図５参照）とリベット８を介して連結される前後一対の連結片１ａｅが下方へ突出して設けられている。なお、一対の連結片１ａｅにはそれぞれ円形孔が形成されている。
【００１１】
また、筐体１ａにおいて、装着凹部１ｃの底部１ｃａには可撓性ホース６を介して吸込口体３と接続する第１通風路１ｃｂが設けられると共に、装着凹部１ｃの天井部１ｃｃには筐体１ａの上半部の内部空間と連通する第２通風路１ｃｄが設けられており、第２通風路１ｃｄ内に電動送風機１ｂが収納されている。
【００１２】
また、筐体１ａの上半部の後面には排気口１ａａが設けられており、空気が第２通風路１ｃｄを通過した後に排気口１ａａから外部へ排気されるようになっている。
また、筐体１ａの上端には有底筒状のハンドル接続部１ａｂが設けられると共に、ハンドル接続部１ａｂの後面上部には、ハンドル４の下端の係止凹部（不図示）と係脱可能に係止する係止爪（不図示）を有する押しボタン１ａｆが設けられている。また、ハンドル４の上部には手元側の電源スイッチ４ａが設けられている。
【００１３】
押しボタン１ａｆを押しながらハンドル４を引っ張ってハンドル接続部１ａｂから引き抜くことができる。例えば、階段や棚上等を清掃する際は、このように掃除機本体１０からハンドル４を引き抜いてスティック型からハンディ型に変え、掃除機本体１０のハンドル接続部１ａｂを持って清掃することができる。
【００１４】
集塵部２は、上方開口部２ａａを有する集塵カップ２ａと、集塵カップ２ａに着脱可能に収納されるフィルタ２ｂとを有する。
集塵カップ２ａは、集塵部２が駆動部１の装着凹部１ｃに装着されたときに第１通風路１ｃｂと接続する図示しない空気流入口を底部に有している。この空気流入口は、集塵カップ２ａの底部から上方へ突出した短筒形に形成されており、その短筒形の上端には逆止弁（不図示）が設けられている。つまり、空気流入口から集塵カップ２ａ内にダストを含む空気が流入する際は逆止弁が開き、空気の流れが止まると逆止弁が閉じてダストが空気流入口側へ戻らないようになっている。
【００１５】
また、集塵カップ２ａは、フィルタ２ｂの後述する弾性枠体２ｂａの外鍔部４２ｂａを載せる複数のリブ２ａｄを内面における上方開口部２ａａの近傍に有する。
また、集塵カップ２ａの上端の前面には、係止爪１１２ａｅを有するスライド部材１２ａｅおよび付勢部材としての図示しない圧縮コイルバネを有するロック機構２ａｅが設けられると共に、集塵カップ２ａの下端には、駆動部１の装着凹部１ｃの底部１ｃａの周囲部に設けられた図示しない凹部に係止可能な図示しない突起部２ａｆが設けられている。
【００１６】
ロック機構２ａｅのスライド部材１２ａｅは上下方向にスライド可能であり、圧縮コイルバネ（不図示）によって上方へ付勢されている。
一方、駆動部１の筐体１ａにおける装着凹部１ｃの上縁近傍には、装着凹部１ｃに装着された集塵カップ２ａのロック機構２ａｅの係止爪１１２ａｅと係脱可能に係止する図示しない係止凹部が設けられている。
【００１７】
集塵カップ２ａを駆動部１の装着凹部１ｃに装着する際、集塵カップ２ａの下部の突起部２ａｆが装着凹部１ｃの底部１ｃａの前記凹部（不図示）に係止すると共に、ロック機構２ａｅの係止爪１１２ａｅが装着凹部１ｃの上縁近傍の前記係止凹部（不図示）に係止する。集塵カップ２ａを駆動部１の装着凹部１ｃから取り外す際は、ロック機構２ａｅのスライド部材１２ａｅを圧縮コイルバネ（不図示）の付勢力に抗して下方へスライドすることにより係止爪１１２ａｅが係止凹部（不図示）から離脱するため、スライド部材１２ａｅを下方へスライドさせた状態で集塵カップ２ａを手前へ引き出すと装着凹部１ｃから取り外すことができる。
【００１８】
フィルタ２ｂは、弾性変形可能な略カップ形の弾性枠体２ｂａと、弾性枠体２ａｂの集塵カップ２ａ側の面（外面）に設けられた袋状のフィルタ本体２ｂｂとを有する。
弾性枠体２ｂａは、短筒部１２ｂａと、短筒部１２ｂａの下端縁から吊り下がるように連設された枠部２２ｂａと、枠部２２ｂａの底部から上方突出状に連設された倒立Ｕ形の摘み部３２ｂａと、短筒部１２ｂａの外周面に連設された外鍔部４２ｂａとを有し、少なくとも枠部２２ｂａが弾性変形可能な材料（例えば、樹脂）にて形成されている。
【００１９】
集塵部２内に溜まったダストを廃棄する際、集塵カップ２ａを駆動部１から取り外して床面や台上に置き、フィルタ２ｂの外鍔部４２ｂａを押えながら摘み部３２ｂａを引っ張り上げると枠部２２ｂａが弾性変形する。その後、摘み部３２ｂａを離すと、枠部２２ｂａが元の形に復元する。このとき、枠部２２ｂａがフィルタ本体２ｂｂに衝突するため、フィルタ本体２ｂｂの外面に付着したダストが集塵カップ２ａ内に振るい落とされる。なお、これを複数回繰り返すことによりフィルタ本体２ｂｂをきれいに除塵することができる。その後、フィルタ２ｂを集塵カップ２ａから取り外し（図２参照）、集塵カップ２ａ内のダストを廃棄する。
【００２０】
＜吸込口体＞
図３は図１の電気掃除機における吸込口体の正面図であり、図４は図１の電気掃除機における吸込口体の底面図である。また、図５は図４のＩ−Ｉ線矢視断面図であり、図６は図４のＩＩ−ＩＩ線矢視断面図であり、図７は図４のＩＩＩ−ＩＩＩ線矢視断面図である。なお、図４において、吸込口体の前後左右方向を矢印にて示している。
【００２１】
図１および図３〜図７に示すように、吸込口体３は、下部を構成する下ケース３ａと、上部を構成する上ケース３ｂとを備える。
下ケース３ａは、左右方向に長い底壁部３ａａと、底壁部３ａａの後端を除く周囲部に連設された周壁部（バンパー）３ａｂと、底壁部３ａａの後端に連設されたローラ保持部３ａｃとを有し、ローラ保持部３ａｃの被清掃面Ｆと対面する底面にはローラ１３ａｃが左右方向の軸心を中心として回転可能に枢着されている。
【００２２】
下ケース３ａにおいて、底壁部３ａａの被清掃面Ｆと対面する底面には、第１底面１３ａａと、第１底面１３ａａの前方側で第１段差面２３ａａを介して隣接する第２底面３３ａａと、第２底面３３ａａの前方側で第２段差面としてのダスト受け面４３ａａを介して隣接する第３底面５３ａａとが含まれる。なお、第３底面５３ａａの前端側は、下ケース３ａの周囲壁３ａｂの前端部１３ａｂとなっている。また、周囲壁３ａｂは、吸込口体３が壁面などに衝突した際の衝撃を吸収するためのバンパーである。
【００２３】
第１底面１３ａａは第１間隙Ｓ１をもって被清掃面Ｆ（例えばフローリング）に対面しており、第２底面３３ａａは第１間隙Ｓ１よりも上下方向に広い第２間隙Ｓ２をもって被清掃面Ｆに対面している。
また、第１底面１３ａａは第１間隙Ｓ１が略一定であるのに対し、第２底面３３ａａは第２間隙Ｓ２が左右方向の中間部１３３ａａから両端部に向かうにつれて上下方向に狭くなっている（図３参照）。すなわち、第１底面１３ａａは全体的に平坦面であるのに対し、第２底面３３ａａは前方から視て上方向に凸となる略アーチ形となっている。
【００２４】
また、実施形態１の場合、第２底面３３ａａの中間部１３３ａａは、吸込口３ｃの左右方向の幅と略等しい幅を有し、かつ、被清掃面Ｆと略平行な平坦面となっており、その平坦面部分が第２間隙Ｓ２で最も広くなっている。また、第２底面３３ａａにおける左右両端部から中間部１３３ａａまでの間は平坦な傾斜面または前方から視て緩やかな上方向に凸となる曲面となっている。
なお、一例として、第１間隙Ｓ１は０．５ｍｍ程度、第２間隙Ｓ２は１ｍｍ〜３ｍｍ程度の範囲とすることができるが、この寸法に限定されるものではない。
【００２５】
また、下ケース３ａにおいて、第１底面１３ａａと第２底面３３ａａとの境界付近における左右方向の中間部には吸込口３ｃが設けられている。実施形態１の場合、吸込口３ｃは楕円形であるが、吸込口３ｃの形状は特に限定されず、円形、四角形等でもよい。
第２底面３３ａａは、平面的に視て（図４参照）、第１底面３ａａの左右両端部よりも内側に設けられており、左右方向の中間部から両端部に向かうにつれて前後方向の幅が狭くなる形状に形成されている。
また、平面的に視て、第２底面３３ａａの中間部には吸込口３ｃの前部が張り出していると共に、第１段差面２３ａａは吸込口３ｃの左右側部に緩やかにカーブしながら接近してリブ３ｆと接続する凸曲面部を有している。
【００２６】
第１段差面２３ａａは、左右方向の両端部から中間部に向かうにつれて後方へ凹んでおり、第１段差面２３ａａの中間部は吸込口３ｃの後部周縁となっている（図４参照）。
また、第２段差面としてのダスト受け面４３ａａも、左右方向の両端部から中間部１４３ａａに向かうにつれて後方へ凹んでいる。このダスト受け面４３ａａは、清掃時に吸込口体３を前進させると比較的大きなダストが当たる面であり、これについて詳しくは後述する。
【００２７】
第１底面１３ａａにおける第２底面３３ａａの左右両外側の平坦面部には、左右一対の起毛布３ｄが設けられている。
これら左右一対の起毛布３ｄと前記ローラ１３ａｃとで、第１底面１３ａａと被清掃面Ｆとの間の第１間隙Ｓ１が概ね所定値となるように吸込口体３を支持している。
また、第１底面１３ａａにおける吸込口３ｃの左右周縁部から後方周縁部に亘って、第１間隙Ｓ１よりも上下方向に狭い第３間隙Ｓ３をもって被清掃面Ｆに接近するリブ３ｆが設けられている（図３〜図５参照）。
また、第１底面１３ａａにおける吸込口３ｃの後方には左右方向に延びる起毛ブラシ３ｅが設けられている。
【００２８】
また、図５に示すように、下ケース３ａの底壁部３ａａの上面における吸込口３ｃの周縁には、上方へ向かうにつれて後方へ突出する短筒状の接続部３ｇが設けられている。この接続部３ｇと掃除機本体１０の駆動部１の第１通風路１ｃｂとが可撓性ホース６にて接続されている（図１参照）。
さらに、図６、図７に示すように、下ケース３ａの底壁部３ａａの上面における接続部３ｇの左右両側には、左右一対の支持板３ｈが互いに対面して設けられると共に、左右一対の支持板３ｈに左右方向の同一軸心上に円形ボス部３ｈａがそれぞれ形成されている。これら左右一対の円形ボス部３ｈａには、後述するヒンジ部材７が連結される。
【００２９】
図１、図５〜図７に示すように、ヒンジ部材７は、左右方向から視てＵ形の上連結部７ａと、上連結部７ａに連設された前後方向から視て倒立Ｕ形の下連結部７ｂとを有する。
ヒンジ部材７において、上連結部７ａの上方へ突出する前後一対の板状部分７ａａには前後方向の同一軸心上に前後一対の円形孔１７ａａが形成されると共に、下連結部７ｂの下方へ突出する左右一対の板状部分７ｂａには左右方向の同一軸心上に左右一対の円形孔１７ｂａが形成されている。
【００３０】
ヒンジ部材７を掃除機本体１０の駆動部１に連結する際は、ヒンジ部材７の上連結部７ａの前後一対の板状部分７ａａを外側にして駆動部１の前後一対の連結片１ａｅと重ねて、重ねられた前側の板状部分７ａａの円形孔１７ａａと連結片１ａｅの円形孔（不図示）とを連通させ、連通したそれらの孔にリベット８を通してかしめることにより連結する（図１参照）。また、重ねられた後側の板状部分７ａａの円形孔１７ａａと連結片１ａｅの円形孔（不図示）にも同様にリベット８を通してかしめることにより連結する。
【００３１】
また、ヒンジ部材７を吸込口体３に連結する際は、ヒンジ部材７の下連結部７ｂの左右一対の板状部分７ｂａを内側にして吸込口体３の左右一対の支持板３ｈと重ねて、重ねられた右側の板状部分７ｂａの円形孔１７ｂａと支持板３ｈの円形ボス部３ｈａとを連通させ、連通したそれらの孔にリベット（不図示）を通してかしめることにより連結する。また、重ねられた左側の図示しない板状部分の円形孔と図示しない支持板の円形孔にも同様にリベット（不図示）を通してかしめることにより連結する。
これにより、吸込口体３は、ヒンジ部材７を介して掃除機本体１０に対して、左右方向の軸心を中心として前後方向に揺動可能となり、かつ、前後方向の軸心を中心として左右方向に揺動可能となる。
【００３２】
＜電気掃除機の動作について＞
このように構成された実施形態１の電気掃除機Ａの動作について、図１〜図８を参照しながら説明する。なお、図８は実施形態１の吸込口体にてダストを吸引する状態を説明する図であって（Ａ）は正面側から視た状態、（Ｂ）は底面側から視た状態である。
床などの清掃（掃除）の際、電気掃除機Ａの電源スイッチ１ａｃまたは４ａを押すことにより、電動送風機１ｂが駆動して駆動部１内が負圧となり、それによって吸込口３ｃからダストを含む空気が吸込口体３内に流入する。この際、吸込口体３の第１底面１３ａａの第１間隙Ｓ１を第２底面３３ａａの第２間隙Ｓ２よりも小さくし、かつ、第１間隙Ｓ１よりも上下方向に狭い第３間隙Ｓ３をもって被清掃面Ｆに接近するリブ３ｆを吸込口３ｃの左右から後方に亘って設けたことにより、吸込口３ｃの前部からダストを含む空気が吸い込まれやすくなっている。また、第２間隙Ｓ２において、左右方向の両端部側が中間部よりも狭くなっているため、吸込口３ｃから遠い第２間隙Ｓ２の左右両端部側の吸引力の低下が抑えられる。
【００３３】
吸込口体３内に流入したダストを含む空気は、可撓性ホース６および駆動部１の第１通風路１ｃｂを通って集塵部２の集塵カップ２ａ内に空気流入口２ａｂから流入する。集塵部２において、集塵カップ２ａ内に流入したダストはフィルタ本体２ｂｂに捕捉され、ダストが除去された空気がフィルタ本体２ｂｂを通過して駆動部１の第２通風路１ｃｄに流入し、排気口１ａａから外部に排気される。なお、電源スイッチ１ａｃまたは４ａをもう一度押すと、電動送風機１ｂが停止する。
【００３４】
図３、図４、図８（Ａ）および（Ｂ）に示すように、被清掃面Ｆ（例えばフローリング）上を吸込口体３が矢印Ａ方向に前進しながらダストを吸引する際、ダストの中には第１間隙Ｓ１よりも大きいためにダスト受け面４３ａａに当たる大小のダストＤ１、Ｄ２が含まれる場合がある。なお、ここでの説明では、これらのダストＤ１、Ｄ２の大きさは、第２間隙Ｓ２の最も広い中間部１３３ａａの高さよりも小さいものとする。
【００３５】
これら大小のダストＤ１、Ｄ２がダスト受け面４３ａａの中間部１４３ａａの正面にあるときは、ダストＤ１、Ｄ２はダスト受け面４３ａａに当たることなく吸込口３ｃの方へ真っ直ぐに吸引される。
また、大小のダストＤ１、Ｄ２がダスト受け面４３ａａの左右端部側にあってダスト受け面４３ａａに当たると、ダスト受け面４３ａａが左右方向の中間部１４３ａａに向かうにつれて後方へ凹んでいるため、吸込口体３が前進することによりダストＤ１、Ｄ２はダスト受け面４３ａａに沿って中間部１４３ａａ側へ移動する。移動したダストＤ１、Ｄ２は、自己が通れる広さ（被清掃面Ｆからの高さ）を有する第２間隙Ｓ２に達すると、そこから吸込口３ｃへ吸引される。このとき、大きいダストＤ２は小さいダストＤ１よりも中間部１４３ａａに近い位置まで移動して吸込口３ｃへ吸引される。
なお、ダスト受け面４３ａａに当たるダストが第２間隙Ｓ２の最も広い箇所（第２底面３３ａａの中間部１３３ａａの被清掃面Ｆからの高さが最も大きい箇所）よりも大きい場合は、使用者が吸込口体３の前部を少し浮かすことによりダストを吸込口３ｃへ吸引することができる。
【００３６】
（実施形態２）
図９は実施形態２の吸込口体にてダストを吸引する状態を説明する図であって（Ａ）は正面側から視た状態、（Ｂ）は底面側から視た状態である。なお、図９（Ａ）および（Ｂ）において、図８（Ａ）および（Ｂ）中の要素と同様の要素には同一の符号を付している。
実施形態２の吸込口体３Ｘは、第２底面３３ａａの構成が実施形態１とは異なる以外は、実施形態１の吸込口体３と概ね同様に構成されている。以下、実施形態２における実施形態１とは異なる点を主に説明する。
【００３７】
実施形態２の吸込口体３Ｘでは、実施形態１（図３、図４、図８等）で説明した吸込口体３の第２間隙Ｓ２の最も広い箇所、すなわち、第２底面３３ａａの中間部１３３ａａの被清掃面Ｆからの高さよりも少し大きいダストＤ３を吸引できるように構成されている。
具体的には、吸込口体３Ｘにおいて、第２底面３３ａａの中間部１３３ａａにおけるダスト受け面４３ａａから吸込口３ｃに亘る範囲に前後方向の溝部２３３ａａが設けられている。
この溝部２３３ａａの被清掃面Ｆからの高さＨは、第２底面３３ａａの中間部１３３ａａの被清掃面Ｆからの高さ（第２間隙Ｓ２の最も広い部分）よりも高くなっており、例えば、４ｍｍ程度となっている。また、溝部２３３ａａの左右方向の幅Ｗも４ｍｍ程度となっている。なお、溝部２３３ａａの高さＨおよび幅Ｗは、この寸法に限定されるものではない。
【００３８】
このように第２底面３３ａａの中間部１３３ａａに前後方向の溝部２３３ａａを設けることにより、被清掃面Ｆ（例えばフローリング）上を吸込口体３Ｘが矢印Ａ方向に前進しながらダストＤ３を吸引する際、ダストＤ３が第２間隙Ｓ２よりも大きくても、溝部２３３ａａを通過できる大きさであれば吸込口３ｃへ吸引される。なお、ダストが溝部２３３ａａを通過できない大きさであれば、使用者が吸込口体３の前部を少し浮かすことによりダストを吸込口３ｃへ吸引することができる。
【００３９】
（実施形態３）
図１０は実施形態３の吸込口体にてダストを吸引する状態を説明する図であって（Ａ）は正面側から視た状態、（Ｂ）は底面側から視た状態である。なお、図１０（Ａ）および（Ｂ）において、図８（Ａ）および（Ｂ）中の要素と同様の要素には同一の符号を付している。
実施形態３の吸込口体３Ｙは、第２底面３３３ａａの構成が実施形態１とは異なる以外は、実施形態１の吸込口体３と概ね同様に構成されている。以下、実施形態３における実施形態１とは異なる点を主に説明する。
【００４０】
実施形態３の吸込口体３Ｙでは、第２底面３３３ａａが階段状に形成されている。
具体的には、第２底面３３３ａａは、左右方向の中間部から両端部側へ向かうにつれて第２間隙Ｓ２が狭くなるよう階段状に形成されている。なお、実施形態３における第２間隙Ｓ２の最も広い高さおよび最も狭い高さは、実施形態１における第２間隙Ｓ２の最も広い高さおよび最も狭い高さはと同じに設定されている。
このように構成された実施形態３の吸込口体３Ｙも、実施形態１の吸込口体３と同様の作用効果を奏する。
【００４１】
（実施形態４）
実施形態３の吸込口体３Ｙにおける第２底面３３３ａａの左右方向の中間部に、実施形態２で説明した溝部２３３ａａ（図９参照）を設けてもよい。
【００４２】
（他の実施形態）
１．実施形態１〜３の吸込口体では、第１底面における吸込口の周囲の左右部から後部に亘ってリブが設けられた場合を例示したが、リブを省略してもよい。あるいは、リブを第１底面における第１段差面の左右方向の両端部から、第１段差面に沿って吸込口の周囲の後部に亘って設けてもよい。さらには、吸込口の後方の起毛ブラシ３ｅ（図４参照）を省略し、リブの位置に起毛ブラシを設けてもよい。この場合、起毛ブラシが、吸込口の後部および左右部を囲い、かつ、第１底面における第２底面との境界領域まで延びてもよい。
【００４３】
２．実施形態１〜３の吸込口体では、ダスト受け面が左右両端部から中間部に向かうにつれて後方へ凹んだ場合を例示したが、ダスト受け面は左右方向に真っ直ぐな平坦面でもよい。なお、ダスト受け面が左右方向に真っ直ぐな平坦面であっても、ダスト受け面を通過できる大きさのダストであれば吸込口まで吸引可能である。
【００４４】
３．実施形態１〜３の吸込口体では、第１底面の前部の左右両端部に一対の起毛布を設け、かつ、後部にローラを設け、これら３点で第１底面が被清掃面から第１間隙をもって支持される場合を例示したが、左右一対の起毛布の代わりに、ローラよりも軸方向の幅が短い車輪を用いてもよい。さらには、ローラも車輪に代えてもよい。このようにすれば、吸込口体を小さい摩擦抵抗で絨毯または畳の上を移動させて清掃することも可能となる。
【００４５】
４．実施形態１〜３では吸込口体が掃除機本体と可撓性ホースおよびヒンジ部材にて連結されたスティック型の電気掃除機を例示したが、本発明の吸込口体は他の電気掃除機にも適用可能である。この場合、ヒンジ部材の機能を有する関節部と、可撓性ホースの機能を有する関節部に接続された接続管部とを吸込口体に一体的に設け、この吸込口体の接続管部をキャニスター型の電気掃除機の延長パイプに着脱可能に接続して使用してもよい。あるいは、手元ハンドルを有する掃除機本体に直接または延長管を介して吸込口体の接続管部を着脱可能に接続して、ハンディ型またはスティック型またはキャニスター型の電気掃除機として使用してもよい。
【００４６】
（まとめ）
本発明の電気掃除機の吸込口体は、第１間隙をもって被清掃面に対面するように構成された第１底面と、前記第１底面と進行方向前方側で隣接しかつ前記第１間隙よりも広い第２間隙をもって被清掃面に対面するように構成された第２底面と、前記第１底面と前記第２底面との境界付近において前記進行方向に対する左右方向の中間部に設けられた吸込口とを有し、
前記第２間隙が前記左右方向の中間部から両端部に向かうにつれて狭くなるように前記第２底面が形成されている。
この構成によれば、吸込口の前方側からダストを含む空気が流入しやすくなるため、吸込口の前部側において強い吸引力を維持しやすくなる。さらに、吸込口の前方の第２間隙は、第２底面の左右方向の中間部から両端部に向かうにつれて上下方向に狭くなっているため、吸込口から左右方向の距離が遠い両端部においては吸引時の空気の流速が速くなって強い吸引力を維持しやすくなる。よって、本発明の吸込口体を電気掃除機の掃除機本体に接続することにより掃除性能を向上させることができる。
【００４７】
本発明の電気掃除機の吸込口体は、次のように構成されてもよく、それらが適宜組み合わされてもよい。
（１）前記第１底面における前記吸込口の周囲の左右位置から後方位置に亘って、前記第１間隙よりも上下方向に狭い第３隙間をもって被清掃面に近接するリブが設けられていてもよい。
この構成によれば、リブによって吸込口の左右および後方からの空気の吸引を抑えることができるため、吸込口の前部側から効率よく吸引することができる。
【００４８】
（２）前記第２底面の前端に沿って設けられて前記前方に面するダスト受け面をさらに有し、
前記ダスト受け面は、平面的に視て、前記左右方向の両端部側から中間部に向かうにつれて後方へ凹んでいてもよい。
この構成によれば、吸込口体を前進させることによりダスト受け面に当たったダストを第２間隙が広い左右方向の中間部側へ誘導することができ、ダストの吸込口への吸引を効率よく行うことができる。
【００４９】
（３）前記第２底面の前記中間部における前記ダスト受け面から前記吸込口に亘る範囲に溝部が設けられてもよい。
この構成によれば、第２間隙の最も広いより箇所よりも大きいダストを溝部を通して吸込口へ吸引させることができる。
【００５０】
（４）前記第１底面において、前記第２底面の前記左右方向の両端部外側に左右一対の平坦面部が設けられ、かつ、前記左右一対の平坦面部に左右一対の起毛布が設けられ、かつ、後部にローラが回転可能に設けられており、
前記左右一対の起毛布および前記ローラによって前記第１底面が被清掃面上に前記第１間隙をもって支持されてもよい。
この構成によれば、吸込口体の第１底面と被清掃面との間の第１間隙が所定の狭い間隙寸法となるように、構成が簡単な左右一対の起毛布およびローラの３点で吸込口体を支持することができると共に、吸込口体の被清掃面（例えばフローリング）との摩擦抵抗を小さくして使用性を向上させることができる。
【００５１】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００５２】
３、３Ｘ、３Ｙ  吸込口体
３ｃ  吸込口
３ｄ  起毛布
３ｆ  リブ
１３ａａ  第１底面
１３ａｃ  ローラ
３３ａａ  第２底面
４３ａａ  ダスト受け面
１３３ａａ  中間部
１４３ａａ  中間部
２３３ａａ  溝部
Ａ  電気掃除機
Ｆ  被清掃面
Ｓ１  第１間隙
Ｓ２  第２間隙
Ｓ３  第３隙間
【図１】
2020078529.tif 000003
【図２】
2020078529.tif 000004
【図３】
2020078529.tif 000005
【図４】
2020078529.tif 000006
【図５】
2020078529.tif 000007
【図６】
2020078529.tif 000008
【図７】
2020078529.tif 000009
【図８】
2020078529.tif 000010
【図９】
2020078529.tif 000011
【図１０】
2020078529.tif 000012